(57)【要約】【課題】本発明は、単品釣針付きのハリスの糸巻に於いて、従来は梯子型や円盤方の物が一般的あるが針先の保管、ハリスの糸巻きをするのが、使用上今一であった。特に単品釣針とハリスが付いた商品の梱包は紙の糸巻を使用し、数多くの釣針が入って、ハリスがからみあっている為取り出し難く、ハリスが途中で切れたり、釣針が手に刺さったりするなど問題があった。【解決手段】本体は円筒、角筒、多角筒、板状体を本体とし、上部円周に釣針の保管部として、Ｖ字、凸凹、山谷の切れ込みを入れ、本体全体の円筒等の空間に線状体で頭部に輪を底辺部に柱を設けた用途吊、割りピンの金具を糸巻止兼糸止め輪首型として、縦に任意の数設け釣針を釣針保管部へ内側に向けて引っ掛けて、ハリスを縦に設けた糸巻兼糸止め輪首型に巻き取とりし、ハリスの終端を頭部の輪に糸止めが出来る事にしたことを一セットとし、円筒等の周囲に糸巻兼糸止め輪首型を縦列に配置した単品釣針ハリスの糸巻である。【選択図】                図１
2006087412.tif 000002
【特許請求の範囲】
【請求項１】
円筒、三角筒、四角筒、六角筒、多角筒、板状体を本体として、本体の上部の釣針保管部より下方の空間に対して、線状体で、頭部に輪を作り、その底辺部に柱を設けたもので、割りピン、用途吊の金具の基本的使用方法を変革し、それらの輪の底辺部に設けた柱にハリスを糸巻させ、頭部の輪の部分をハリス糸巻き時のハリス外れ止めとし、その輪の径はハリスの太さに応じて、大きさを変化させることによりハリス糸止めの効果をより高めることの出来る糸止めとし、ハリスの終端部分を輪の底辺部に設けた柱に一回転させた上、頭部の輪の穴に挿入し引っ張って固定使用出来る糸巻兼糸止め輪首型としたもので、割りピン、用途吊を使用した糸巻兼糸止め輪首型の突起物を設けたことを特徴とする単品釣針ハリス糸巻。
【請求項２】
請求項１のハリス糸巻兼糸止め輪首型を本体空間に縦に１個以上、任意の数を一例に記したものを、１セットとして単独機能するものを、単品釣針ハリス糸巻とし、それを円筒、三角筒、四角筒、六角筒、多角筒、板状体の周囲全体に縦に１セット以上、任意の数を縦列に配置し、円筒、三角筒、四角筒、六角筒、多角筒、板状体の空間に対して、ハリスの部分を垂直に糸巻することができる、糸巻兼糸止め輪首型の突起物を設けたことを特徴とする単品釣針ハリス糸巻。
【発明の詳細な説明】
【発明の詳細な説明】
【発明の所属する技術分野】
【０００１】本発明はプラスチック、竹、木、その他樹脂等の素材の活用が出来る、単品釣針ハリス糸巻。
【背景の技術】
【０００２】釣針が一個の場合のハリスの糸巻は梯子タイプ、円盤型等の商品は市場に色々あるものの、今一使用上、糸巻部分が入組んでいる為、巻き難い点があり糸止めが外れやすく、又釣針がむきだしになっているため怪我が発生しやすい状況であった。特に現在釣具メ−カ−に於いて発売されている単品釣針のハリスの包装は紙の糸巻に数多くの物が梱包されている為、糸が絡み合って一個を取り出す際、取り出しにくく、途中でハリスが切れたり、針で怪我をする等問題があった。これら解決の為公開特許、実用新案広報を参照するも、単品釣針ハリスの糸巻に於いては円筒、三角筒、四角筒、六角筒、多角筒、板状体でハリス糸巻兼糸止め輪首型を使用して垂直に糸巻するものは見当たらない新しい発明です。
【公開特許広報】
特開２００２−２０９４９０参照
（５１）Ｉｎｔｃ１．５  Ａ０１Ｋ９７／０６
【公開実用新案広報】
実開平４−１２９７７９参照
（５１）Ｉｎｔｃ１．５  Ａ０１Ｋ９７／０６
【公開実用新案広報】
実開平２−４９８７４参照
（５１）Ｉｎｔｃ１．５  Ａ０１Ｋ９７／０６
【公開実用新案広報】
実開昭４５−１４９３６
【公開実用新案広報】
実開昭５３−３９７９０
（５１）Ｉｎｔｃ１．５  Ａ０１Ｋ９７／０６
【公開実用新案広報】
実開昭５０−１２８２９２
（５１）Ｉｎｔｃ１．５  Ａ０１Ｋ８９／００
【公開実用新案広報】
実開平７−１３１６３
（５１）Ｉｎｔｃ１．５  Ａ０１Ｋ８９／００
【発明の開示】
【発明が解決しようとする課題】
【０００３】従来は単品の釣針のハリスの保管は発泡スチロール、竹製のはしご型、円盤型、発泡スチロ−ルの糸巻や厚紙の上部に切り込みを入れた物等が商品化されているが、ハリスが近隣接の為、絡み易く糸巻し難いところが有った、特に単品釣針ハリスの梱包セット商品はハリスの部分が絡んでいる為、梱包より引抜が難しく、切れる時もあり、糸止めが外れやすかったので、簡単、安全に釣針ハリスが取り出し、綺麗に糸巻できる様に改善することが必要であった。この課題の解決の為  特願２００３−３６８０９２にて特許申請の単品釣針ハリス糸巻横穴式に於いては糸止め部分が帽子、笠の直下の円柱等にある為に糸止め部分の穴が、帽子、笠が阻害され、ハリスを止める時に本体を若干左右に回転しないと穴の部分が見えなく、ハリスの終端部分を穴に挿入して糸止めする際に手間と時間がかかり、その上突起物の工作も複雑であるので、更に使いやすく簡単に工作できる糸巻兼糸止めが必要であるので、新たな糸巻兼糸止めとして、従来の使用方法を変革した金具の用途吊、割りピンの利用を開発しそれを円筒類に垂直に設けて糸巻することの出来る単品釣針ハリス糸巻で問題解決することができた。
【課題を解決するための手段】
【０００４】円筒、三角筒、四角筒、六角筒、多角筒、板状体を本体として、本体の先端円周に一個から任意の数のＶ字型、山谷型、凸凹型等の切り込みを入れて、単品釣針にハリスが付いた物の、釣針を収容する釣針保管部を設け、円筒、三角筒、四角筒、六角筒、多角筒、板状体を本体として、本体の上部の釣針保管部より下方の空間に対して、特願２００３−３６８０９２にて特許申請の単品釣針ハリスに於いての糸止め部分が、帽子、笠の直下の円柱等にあるためにハリスを止める時に帽子、笠が阻害し、ハリスの終端を穴に挿入して糸止めする際本体を若干左右に回転しないと穴の部分が見えなく、ハリスの終端部分を穴に入れて糸止めするのに手間と時間がかかるので、ハリス糸止め挿入部分を見やすくする為、特願２００３−３６８０９２のハリス糸巻兼糸止め横穴式の糸止め部分の位置を帽子、笠の直下にあったものを逆転の発想により、当特許出願では糸止めの位置を１８０度変更する為、線状体のもので、頭部に輪を作り、その底辺部に柱を設けたもので、割りピン、用途吊の金具の基本的使用方法を変革しそれらの頭部の輪を糸止めとし、輪の底辺部に設けた柱にハリスを糸巻させ、輪の底辺部分をハリス糸巻き時のハリス外れ止めとし、頭部の輪はハリスの太さに応じて、径の大きさを変化させることによりハリス糸止めの効果をより高めることの出来る糸止めとし、輪の底辺部に付いた柱にハリスの終端部分を一回転させ後に輪の穴にハリスを挿入し、引っ張って固定させることの出来る糸巻兼糸止め輪首型ものを使用し、それを本体空間に縦に１個以上、任意の数を一列に配したものを、１セットとして、釣針を釣針保管部に引掛けた後に、ハリスの長さに応じた任意の位置の糸巻兼糸止め１箇所以上、任意の数にハリスの巻取りを繰り返しＵタ−ンさせて糸巻し、ハリスの終端を近くの、糸巻兼糸止めの柱に一回転させた後に輪の穴にハリスの終端を挿入し軽く引っ張り固定することを１セットの単品釣針ハリス糸巻とし単独機能し、それを円周等の全体に縦に１セット以上、任意の数を縦列に配置した、糸巻兼糸止め輪首式部材を取り付けた糸巻であり、本体は円筒形、三角筒、四角筒、六角筒、多角筒、板状体を使用し、本体全体の長さは、釣針のハリスの長さにより調整可能でもあり、釣針の保管数により直径又は一辺を任意の長さに調整出来る可能なタイプの単品釣針ハリス糸巻により問題点を解決したものである。特にハリス糸巻兼糸止め横穴式、切れ目式よりも更にハリスの糸止めが簡単で見やすく、突起物も簡単なものを使用でき、価格面でも安価なものになるうえ、ハリスの太さに関係なく糸止めの使用ができる単品釣針ハリスの糸巻の革命的発明であると思います。
【発明の効果】
【０００５】現在釣針のハリスの付いたもの保管は発泡スチロール、紙糸巻、竹梯子、円盤型等を加工したものに、切れ目を入れ糸止めにした物が殆どであるが、ハリがむきだしになっているのでハリで怪我をしたり、服に引っ掛けたりしている。今回の発明品は釣針ハリの先が円筒の内側に入るので危険防止となっている上、釣針とハリスが直線的に糸巻するようになる為、隣接との交わりは無くハリスを綺麗に巻き取りすることができるもので、特に特願２００３−３６８０９２にて特許申請の単品釣針ハリス横穴式に於いては糸止め部が、帽子、笠の直下の柱にあるためにハリスを止める時に帽子、笠が阻害される為に本体を若干左右に回転しないと穴の部分が見えなく、ハリスの終端部分を穴に入れて糸止めするのに手間と時間がかかり、その上突起物の工作も複雑であるので、その問題を解決する為円筒類の本体をどの位置より見た状態でもハリスの糸止めの穴が確実に見ることが出来る糸止めが出来たものである。更に簡単な使用構造で、安価に出来るものにしたものが、当該糸巻兼糸止めの輪首型であり、突起物に於いても線状体で、頭部に輪を作り、その底辺部に柱を設けたもので、割りピン、用途吊の金具の基本的使用方法を変革しそれらの頭部の穴の輪の部分をハリス糸巻き時のハリス外れ止めとし、輪の底辺部の柱にハリスを糸巻させ、その上輪の径はハリスの太さに応じて、大きさを変化させることによりハリス糸止めの効果をより高めることの出来る糸止めとし、頭部の輪の底辺に設けた柱にハリスの終端部分一回転させた上、ハリスの終端部分を輪の穴に挿入し引っ張って固定することができ外れ難く、糸絡みが少なくすることが出来る、糸巻兼糸止め輪首型を設けた単品釣針ハリス糸巻である。当該単品釣針ハリス糸巻はハリスの長さが、長いものでも、短いものでも、本体の長さ、直径、一辺の大きさの調整、糸巻兼糸止めの数及び先端の釣針保管部のＶ字型、山谷型、凸凹型を増やすことにより数多くの単品釣針ハリスの巻取りが可能で、単品釣針のハリスの保管の数が、従来の梯子、円盤タイプより、多くものが保管出来る、単品釣針ハリス糸巻である。
【発明の実施するための最良の形態】
【０００６】図７に示す実施例に基づいて本発明の実施状況を説明する。始めに糸巻の本体２の円筒類の上部、Ｖ字型、山谷型、凸凹型等の釣針保管部１の切り込みに釣針７の針先を内側に向けセットし、それに付いているハリス８の長さに応じて下方にある糸巻兼糸止め輪首式４、５、６列のいずれかの中から、例えば４列内の糸巻兼糸止め輪首式用途吊の中から一個以上を、ハリスの長さに応じて、４−１から４−４のいずれかに、ハリス８のＵタ−ンを繰り返し、糸巻すると共に、ハリス８の終端を近くの糸巻兼糸止め輪首式用途吊４を使用し、糸止め４の頭部の輪の下の柱にハリス一回転してから輪の穴に挿入し、軽く引っ張り、固定し外れなくする。これを縦に１列、１セットの糸巻とする。又糸巻兼糸止め輪首式割りピン４｀、５｀、６列｀のいずれかの中から、例えば４｀列内の糸巻兼糸止め輪首式割りピン一以上を、ハリスの長さに応じて、４｀−１、から４｀−４のいずれかに、ハリス８のＵタ−ンを繰り返し、糸巻すると共に、ハリス８の終端を近くの糸巻兼糸止め輪首式削リピン４｀を使用し、ハリス８の終端を近くの糸巻件糸止め輪首式割りピン４｀を使用し、糸止め４｀の頭部の輪の下の柱に、ハリス一回転させてから輪の穴に挿入、軽く引っ張り固定し、外れなくする。これを縦に１列、１セットの糸巻とする。これらのいずれかを縦列４，５，６又は４｀、５｀、６｀のように円筒、角筒等に周回させた物で、糸巻兼糸止め４，５，６又は４｀、５｀、６｀ように縦列の数だけ、単品釣針ハリスの保管が出来る糸巻である。使用時の釣針ハリスの糸止めの解除は糸巻兼糸止め輪首式４、４｀とも、ハリスの終端を止めた糸止め４、４｀の輪の穴の手前のハリス軽く引き、４、４｀に巻かれたハリスをほどいて、釣針保管部１に掛けていた釣針７を外して使用する。又は輪の穴から出た終端を逆に戻す形にしても糸止め解徐は可能であります。
【産業上の利用可能性】
【０００７】現在単品釣針にハリスの付いたもののセット販売している製品の梱包は紙製の糸巻を使用し、ハリスの部分が絡み合っている為、一本々取り出すのが的確に行えず、時間を要したり、ハリスが切れたりし、その後の釣針の取出しが出来ず紙糸巻を壊したりして使用しているので、今回の発明品を使用すれば、その様なことが無くなり釣のスピ−ドアップと釣の楽しみが倍加すると思います。又この発明品を大型に工作すれば漁業用としても使用可能と考えられます。
【図面の簡単な説明】
【０００８】
【図１】  本発明に係る単品釣針ハリスの糸巻の本体の正面図。
【図２】  本体に係る側面図
【図３】  本体に係る平面図
【図４】  本体に係る一部を構成する糸巻兼糸止め輪首型用途吊の部品の正面図、側面図、平面図、底面図。
【図５】  本体に係る一部を構成する糸巻兼糸止め輪首型割ピンの部品の正面図、側面図、平面図、底面図。
【図６】  本発明に係る本体に使用する単品釣針付きハリスの実態図である。
【図７】  本発明に係る実際の単品釣針ハリスを使用した場合の糸の流れを明示した使用図面である。
【符号の説明】
【０００９】        １、釣針保管部
２、本体筒
３、ハリスの糸巻部
４、１−４糸巻兼糸止め輪首型用途吊
４｀、１−４糸巻兼糸止め輪首型用割りピン
５、１−４糸巻兼糸止め輪首型用途吊
５｀、１−４糸巻兼糸止め輪首型用割りピン
６、１−４糸巻兼糸止め輪首型用途吊
６｀、１−４糸巻兼糸止め輪首型用割りピン
７、釣針
８、ハリス
【図１】
2006087412.tif 000003
【図２】
2006087412.tif 000004
【図３】
2006087412.tif 000005
【図４】
2006087412.tif 000006
【図５】
2006087412.tif 000007
【図６】
2006087412.tif 000008
【図７】
2006087412.tif 000009